(57)【要約】【課題】多種多様な機器からのデータを自動収集し、それぞれの機器に最も適した解析プログラムを選択し、解析結果は、ウェブ上でブラウザ画面から閲覧でき、設備の異常を各機器が検出した時には、必要情報を通報先に自動的に通報する。【解決手段】監視サービスセンタ２１に対して、機器１７からデータを収集する自動データ収集手段２２と、送られてきたデータを機器特有の情報と対応づけて蓄積するデータ蓄積手段２３と、予め登録されている機器解析条件に基き機器からのデータを解析するデータ解析手段２４と、該解析データを機器特有の情報と対応づけてウェブ情報とし、通信回線網２０へ送出するウェブ情報送出手段２５と、異常情報を当該設備の通報先へ通報する異常通報手段２６とを備える。【選択図】図２
2007116586.tif 000002
【特許請求の範囲】
【請求項１】
設備に付加される機器からデータを収集するデータ収集手段と、前記データ収集手段で収集したデータを通信回線網へ送出するデバイスサーバと、通信回線網に接続され、前記デバイスサーバから送られてくるデータを監視する監視サービスセンタとを備える設備監視システムにおいて、
前記デバイスサーバは、前記データ収集手段による機器からのデータを機器特有の情報と対応づけて前記監視サービスセンタに送出するデータ送出手段を備えており、
前記監視サービスセンタは、通信回線網を介して前記デバイスサーバを作動させて前記データ収集手段により前記機器からデータを収集する自動データ収集手段と、送られてきたデータを機器特有の情報と対応づけて蓄積するデータ蓄積手段と、予め登録されている機器解析条件に基き機器からのデータを解析するデータ解析手段と、該解析データを機器特有の情報と対応づけてウェブ情報として前記通信回線網へ送出するウェブ情報送出手段と、データ解析手段により機器からのデータが、登録されている前記機器の正常な値と比較して異常な場合に、当該機器の設備の異常を示す異常検出信号を出力する異常検出手段と、該異常検出手段からの異常検出信号を受けたとき、予め登録されている当該設備の異常を示す異常情報を当該設備の通報先へ通信回線網を介して通報する異常通報手段とを備えていることを特徴とする設備監視システム。
【請求項２】
前記データ送出手段は、前記データ収集手段が収集した機器からのデータを、設備を所有する顧客特有の識別情報及び機器特有の情報と対応づけ、通信回線網を介して監視サービスセンタへ送出することを特徴とする請求項１記載の設備監視システム。
【請求項３】
前記データ送出手段は、機器からの信号を無線ＬＡＮを介して収集し、前記通信回線網へ送出することを特徴とする請求項１又は請求項２記載の設備監視システム。
【請求項４】
前記監視サービスセンタ及び前記デバイスサーバは、前記顧客特有の識別情報を前記監視サービスセンタが認識したとき、前記監視サービスセンタに登録されている顧客又は機器の登録情報を変更できるようにしたことを特徴とする請求項１乃至請求項３記載の設備監視システム。
【請求項５】
前記監視サービスセンタのデータ解析手段は、前記デバイスサーバから送られてきた機器特有の情報に基いて、登録された解析条件で当該機器のデータ解析を行うことを特徴とする請求項１乃至請求項４記載の設備監視システム。
【請求項６】
前記監視サービスセンタのウェブ情報送出手段は、解析データとしてのグラフ情報又は機器が配置されている位置を示す地図情報をウェブ情報として前記通信回線網へ送出することを特徴とする請求項１乃至請求項５記載の設備監視システム。
【請求項７】
前記監視サービスセンタのウェブ情報送出手段は、前記ウェブ情報を一定時間経過毎に更新して前記通信回線網へ送出することを特徴とする請求項１乃至請求項６記載の設備監視システム。
【発明の詳細な説明】
【技術分野】
【０００１】
本発明は、各企業、各工場などに設置される様々な設備に取り付けられる警報機、センサー、デバイスなど、メーカーや種別が異なる多種多様な機器からのデータを収集し、通信回線網を介して監視サービスセンタでデータを解析し、設備の動作状況や異常を通報可能とする設備監視システムに関するものである。
【背景技術】
【０００２】
製造業を営む企業の多くでは、それぞれ工場全体にわたって多数の設備に取り付けられた警報機、センサー、デバイス等が、機器のデータを収集し、設備の動作状態を常時監視している。これらの警報機、センサー、デバイス等は、それぞれ任意のメーカーの製品であって、機種、型名、使用条件、出力信号形態も様々に異なる。出力データの解析方法も多種多用である。異常を検出して警報を発するときも、動作条件が異なる。出力データの解析ソフトも様々な種類があり、解析の仕方も異なる。したがって、どの機器にどの解析ソフトを使用し、どの条件で解析をすれば適切なのか判断することが煩雑である。専任の管理者以外、設備や機器の使用もできない場合が多い。また、安全確保、保守、あるいは関係法令上、高度の知識を有した機器管理者の配置が義務付けられていることもある。
【０００３】
近年、合理化の観点から、これらの機器について、その動作状態をセンサー等で検出し、ネットワークを通じてサーバーに蓄積し、少ない管理者で多くの機器を保守、監視を管理する技術はよく知られている。特開２００１−２５８０８０公報には、従来の設備監視システムが開示されている（特許文献１）。
【０００４】
図５は、特許文献１の内容説明図である。
監視の対象は、水道設備、製造設備、発電設備等の設備に付加されている温度センサ、圧力センサ等である。この監視システムは、これらの機器から、データをデータ収集部３４によって収集し、収集したデータをコンピュータシステム３５を介して通信回線網に送出している。通信回線網３９は、公衆電話回線やインターネット等である。遠隔地に設置されている監視センター４０では、通信回線網３９を通じて、コンピュータシステム３５から異常通知を受信する。このシステムでは、監視センター４０側から被監視側のデータを収集するか、或いは被監視側から特定の監視側へメッセージ伝送を行っている。
【０００５】
しかし、こうしたシステムでは、被監視側の個々の監視対象毎に遠隔監視システムが必要となり、経済的負担が発生する。更に複数の遠隔監視システムを並行して用いるため、監視センター４０側はこれらを個々に閲覧し判断しなければならず、一定のスキルが要求される。
【０００６】
そこで、特許文献１に開示された発明は、監視センター４０に、データ収集部３４に対するデータ収集のための条件を設定する機能を付与する。条件入力部４１にはその条件を設定する。条件入力部４１は、通信回線を介してコンピュータシステム３５の条件設定部３８にデータ収集条件を通知する。データ収集部３４は、そのデータ収集条件に基いて、各機器ｄ１，ｄ２，…，ｄｎからデータを収集し、データ蓄積部ＤＢ２へ蓄積し、データベース３６を形成する。
【特許文献１】特開２００１−２５８０８０
【発明の開示】
【発明が解決しようとする課題】
【０００７】
しかしながら、図５に示したような従来の設備監視システムでは、設備を所有している会社や工場に設置されるコンピュータシステム３５が、センサーなど各機器の出力データを、どのように加工してデータベース３６に蓄積するかを決める。従って、サーバー機能を有するコンピュータシステム３５に、データ加工部３７とデータ収集条件を設定する条件設定部３８を新たに構築することが必要となる。これには、専用のプログラムが必要となる。
【０００８】
そのため、サーバー機能を有したコンピュータシステム３５へ専用のプログラムをインストールするなどの作業が必要となる。また、データ収集部３４から収集したデータを加工し、多量のデータを蓄積するための、信頼度の高いサーバ機能を有したコンピュータシステム３５を用意する必要がある。
【０００９】
さらに、多量に発生するデータを蓄積し、データ消失を防ぐためのデータバックアップ処理を実行し、これらのメンテナンスを行うために、高機能なハードウェアの購入費用とコンピュータ管理者の人件費の支出が伴う。また、機器毎に新たな解析プログラムの購入費用を含む、高額な投資を必要とする。そのため、設備を監視するための機器には、できる限り、同一のメーカー、同一種類ものを採用するといった、大きな制約があった。
【００１０】
本発明は以上の点に着目してなされたもので、前記した従来の課題を解決するための設備監視システムを提供することを目的とする。本発明によれば、複数の企業が、各企業毎に、工場などに設けられている多種多様な既設設備の動作や異常を監視するための、専用の解析ソフトを個々に購入したり、高度のデータ解析知識を有した専任の設備管理者をそれぞれ配置する必要がない。コンピュータシステムも顧客が既に所有している既存のシステムで済む。外部のデータ解析会社の監視サービスセンタが、多種多様な機器からのデータを収集し、それぞれの機器に最も適した解析ソフトやそれぞれの顧客が要求するデータ解析条件でデータの解析を可能にする。解析結果は、通信回線網に接続されたコンピュータであれば、ウェブ上でブラウザ画面から閲覧でき、機器の設置条件や解析条件の変更もブラウザ画面から行える。しかも、設備の異常を各機器が検出した時には、即時に異常原因の探求と、設備の復旧、修理などの対応が可能なように必要情報を通報先に通報できる。
【課題を解決するための手段】
【００１１】
本発明は次の構成により、上記の課題を解決する。
（構成１）
設備に付加される機器からデータを収集するデータ収集手段と、前記データ収集手段で収集したデータを通信回線網へ送出するデバイスサーバと、通信回線網に接続され、前記デバイスサーバから送られてくるデータを監視する監視サービスセンタとを備える設備監視システムにおいて、前記デバイスサーバは、前記データ収集手段による機器からのデータを機器特有の情報と対応づけて前記監視サービスセンタに送出するデータ送出手段を備えており、前記監視サービスセンタは、通信回線網を介して前記デバイスサーバを作動させて前記データ収集手段により前記機器からデータを収集する自動データ収集手段と、送られてきたデータを機器特有の情報と対応づけて蓄積するデータ蓄積手段と、予め登録されている機器解析条件に基き機器からのデータを解析するデータ解析手段と、該解析データを機器特有の情報と対応づけてウェブ情報として前記通信回線網へ送出するウェブ情報送出手段と、データ解析手段により機器からのデータが、登録されている前記機器の正常な値と比較して異常な場合に、当該機器の設備の異常を示す異常検出信号を出力する異常検出手段と、該異常検出手段からの異常検出信号を受けたとき、予め登録されている当該設備の異常を示す異常情報を当該設備の通報先へ通信回線網を介して通報する異常通報手段とを備えていることを特徴とする設備監視システム。
【００１２】
構成１の発明で、顧客側では、既設設備のセンサーなどの機器に関する機器特有の情報をブラウザ画面上から監視サービスセンタに登録すれば、監視サービスセンタの自動データ収集手段が、機器特有の情報と対応づけて機器のデータを通信回線網を介して自動的に収集し、データ蓄積手段に蓄積できる。機器のデータは、設備や機器が設置されている場所と異なる場所にある監視サービスセンタのデータ蓄積手段に蓄積され、耐震、耐火等の災害対策を十分に施される。又、データバックアップも定期的に確実に行われる。
【００１３】
データ蓄積手段に蓄積された機器のデータは、データ解析手段により解析され、機器データの高度な解析も専用の高精度の解析プログラムにより行うことが可能である。機器のデータや解析結果は、ウェブ情報送出手段により通信回線網へ送出され、顧客側の既設のコンピュータシステムで、一般的なブラウザ画面でウェブ上から機器特有の情報と対応づけて各機器のデータを閲覧できる。機器のデータを解析した結果、異常と判断されたときは、異常検出手段が異常検出信号を発し、予め登録されている異常を知らせる異常情報を当該設備の通報先へ通信回線網を通じて通報することができる。
【００１４】
（構成２）
構成１に記載の設備監視システムにおいて、前記データ送出手段は、前記データ収集手段が収集した機器からのデータを、設備を所有する顧客特有の識別情報及び機器特有の情報と対応づけ、通信回線網を介して監視サービスセンタへ送出することを特徴とする設備監視システム。
【００１５】
顧客特有の識別情報と対応づけて、データ収集手段が収集した機器からのデータは、通信回線網を介して監視サービスセンタへ送出され、監視サービスセンタのデータ蓄積手段へ蓄積されるので、セキュリティを向上させている。
【００１６】
（構成３）
構成１又は構成２に記載の設備監視システムにおいて、前記データ送出手段は、機器からの信号を無線ＬＡＮを介して収集し、前記通信回線網へ送出することを特徴とする設備監視システム。
【００１７】
データ収集手段は、機器から信号を無線ＬＡＮを介して収集し、デバイスサーバで、機器のデータを通信回線網へ送出することができる。また、機器の設置位置も任意に選ぶことができる。
【００１８】
（構成４）
構成１乃至構成３に記載の設備監視システムにおいて、前記監視サービスセンタ及び前記コンピュータシステムは、前記コンピュータシステムからの前記顧客特有の識別情報を前記監視サービスセンタが認識したとき、前記監視サービスセンタに登録されている顧客又は機器の登録情報を変更できるようにしたことを特徴とする設備監視システム。
【００１９】
データ解析手段の解析条件を変更するとき、及び、異常検出時の通報先、機器の設置位置を変更するときは、顧客特有の識別情報を認識させることによって登録情報を変更する。
【００２０】
（構成５）
請求項１乃至構成４に記載の設備監視システムにおいて、前記監視サービスセンタのデータ解析手段は、前記デバイスサーバから送られてきた機器特有の情報に基いて、登録された解析条件で当該機器のデータ解析を行うことを特徴とする設備監視システム。
【００２１】
データ解析手段は、機器特有の情報に基いて機器に適した解析プログラムを選択し、機器のデータを解析するので、多種多様な機器を監視することが可能である。
（構成６）
請求項１乃至構成５に記載の設備監視システムにおいて、前記監視サービスセンタのウェブ情報送出手段は、解析データとしてのグラフ情報又は機器が配置されている位置を示す地図情報をウェブ情報として前記通信回線網へ送出することを特徴とする設備監視システム。
【００２２】
解析データとして、グラフ情報や、機器が配置されている位置を示す地図情報を生成し、これをウェブ上で閲覧できるので、機器の動作状況の視覚的な把握ができる。また、異常発生時に機器が配置されている場所へ迅速に行くことを可能にする。
（構成７）
請求項１乃至請求項６記載の設備監視システムにおいて、前記監視サービスセンタのウェブ情報送出手段は、前記ウェブ情報を一定時間経過毎に更新して前記通信回線網へ送出することを特徴とする設備監視システム。
【００２３】
自動データ収集手段による各機器からのデータ収集を、予め定めた時間間隔で定期的に行い、このデータ収集に対応させてウェブ情報も更新してもよい。
【発明を実施するための最良の形態】
【００２４】
以下、本発明の実施の形態を具体例を用いて説明する。
【実施例１】
【００２５】
図１は、本発明の設備監視システムの全体像を示すシステム概念図である。
本発明の設備監視システムは、顧客側のシステム、通信回線網、監視サービスセンタの３つのシステムに大別される。この実施例１は、各設備に取り付けられた警報機やセンサーなどの機器からのデータが、無線及び無線ＬＡＮを介して収集され、デバイスサーバ７と通信回線網１３を通じて、監視サービスセンタ１４に送られる例を示している。なお、別の実施例として、顧客側に設けられた既存のコンピュータシステム１０のハブ１１やモデム１２を介在させる方法もある。
【００２６】
図１に示される例では、設備１ａ、設備１ｂ、設備１ｃの３つの設備が有る。設備１aには、警報機２a1、リレー２a２が有る。これらのオンオフ信号が、無線機３a、３bによって無線出力される。設備１ｂには、アナログセンサー２ｂ１、アナログセンサー２ｂ２が有る。これらのアナログ出力信号は、無線機３ｃによってディジタル信号に変換されて無線出力される。設備１ｃには、デジタルセンサー２ｃ1、デジタルセンサー２ｃ２、デジタルセンサー２ｃ３が有り、これらの出力信号は、無線機３ｄによってデジタル信号のまま、無線出力される。
【００２７】
無線機３ａ、３ｂ、３ｃ、３ｄから出力される信号は、データ受信機４で受信され、無線ＬＡＮ５、６を通じてデバイスサーバ７に収集される。デバイスサーバ７には、ＶＰＮ（Virtual private network）ルータが設けられている。暗号化通信により機密性の高いデータ伝送を行うためである。インターネットＶＰＮ、ＩＰ−ＶＰＮのいずれでもよいが、顧客のデータを保護するために、閉域ネットワークを利用する。デバイスサーバ７は、上記のように、顧客側の各設備から、無線あるいは有線ネットワークを通じて監視対象となるデータを収集し、例えば、ウェブデータ形式で、そのデータを記憶する。収集したデータは、監視サービスセンター側からブラウザを用いて閲覧させる。なお、ＶＰＮルータは、図２を用いて説明するように、デバイスサーバ７の内部に組み込んでもよいし、インターネットとの接続用モデムとデバイスサーバ７との間に挿入してもよい。また、デバイスサーバ７は、少なくとも、機器のデータを受信して、ウェブデータ形式で記憶装置に記憶させる機能をもてばよい。従って、例えば、データ収集順を定めるスケジューラと、機器のデータを順番に読み取るデータ読み取り装置と、取得したデータをウェブデータ形式に変換するコンパータと、ウェブデータを記憶するメモリを備えればよい。
【００２８】
通信回線網１３に接続される監視サービスセンタ１４には、設備を所有する顧客特有の識別情報及び機器特有の情報を対応付けた情報が予め登録されている。その内容は後で図６や図７で例示するが、顧客名（○○会社）、ＩＤ識別記号（○○○）、設備名称（○○○）、機器Ｎｏ（Ａ−１）、センサー種別（温度）、出力信号の形態（アナログ信号４〜２０ｍA）、出力信号のレンジ（０〜１００℃）、出力条件（／１０ｍｉｎ）、記録の要否（−）などを含む。
【００２９】
監視サービスセンタ１４は、通信回線網１３を介して、顧客を識別するＩＤ識別記号を受信する。続いて通信回線網１３から各機器のデータが、各機器特有の情報と対応づけられて送られてくる。このデータは、図７に示すように、機器Ｎｏ（Ａ−１）、監視時刻（２００５．１０．１  １０：００）、測定結果（１５ｍＡ）、演算前（○○○）、演算後（△△△）、異常検知（正常）、異常通報（−）、担当者応答時刻（  ）等を含む。これらのデータが、監視サービスセンタ１４のデータ蓄積手段に蓄積されて、データベース化される。
【００３０】
監視サービスセンタ１４には、顧客企業の多種多様な機器について、その特有の特性や解析手順にあった解析を行うための解析プログラムが多数用意される。先に説明した機器特有の情報の中に、どの解析プログラムを選択するかの情報も含まれる。したがって、顧客側から、機器のデータが送られ、サーバ内にデータベースとして蓄積されると同時に、監視サービスセンタに数多くある解析プログラムの中から、機器特有の情報に基いた最適の解析プログラムが選択される。データ蓄積手段に蓄積されたデータは、選択された解析プログラムが示す手順で、各機器特有の条件で解析される。
【００３１】
監視サービスセンタ１４の解析結果は、通信回線網１３を介して、顧客側のコンピュータシステム１０の各ＰＣへ送出される。この例では、解析結果をブラウザで閲覧可能なウェブデータにして、データ蓄積手段に蓄積する。各ＰＣは、ウェブデータを閲覧するためのブラウザ機能、ブラウザ画面を有している。なお、顧客側のコンピュータシステム１０でウェブデータを閲覧する場合にも、上記の閉域ネットワークを利用することが望ましい。
【００３２】
監視サービスセンタへの顧客側の情報の登録、解析プログラムの選択、異常通報先の変更なども、これらの各ＰＣのブラウザ画面から通信回線網１３を介して行えるように構成されている。
【００３３】
図２は、監視サービスセンタ２１が動作したときのそれぞれの機能に関する機能ブロック図である。
顧客側のデバイスサーバ７は、データ収集手段１８とデータ送出手段１９を備えている。データ送出手段１９は、ＶＰＮルータ８と記憶装置９を備えている。データ収集手段１８は、監視サービスセンタ２１から受信したコマンド信号に基いて、警報機２ａ１、アナログセンサー２ｂ１、デジタルセンサー２ｃ１などの機器１７ａ、１７ｂ、・・・１７ｎが検出したデータを収集する。データ送出手段１９は、これらのデータを各機器特有の情報とそれぞれ対応づけてウェブデータとし、記憶装置９に記憶する。ＶＰＮルータ８は、監視サービスセンタ２１の要求に従って、そのデータを通信回線網２０を介して監視サービスセンタ２１へ送る。
【００３４】
監視サービスセンタ２１の、自動データ収集手段２２は、顧客企業の設備に設けられた各種機器からのデータを定期的に、（例えば、５分毎、１時間毎）、収集する機能を持つ。自動データ収集手段２２はブラウザの機能により、顧客側のデータ送出手段１９をアクセスして、ウェブデータを閲覧する。閲覧されたデータは、各顧客企業の識別記号及び機器番号などを各機器特有の情報と対応づけられて、データ蓄積手段２３へ順次蓄積される。
【００３５】
各機器のデータは、データ解析手段２４により、予め登録されている解析プログラムの解析条件にしたがって解析される。解析プログラムは、機器特有の情報をインデックスにして、選択される。データ解析手段２４によるデータ解析の結果は、データ蓄積手段２３に蓄積される。通信回線網２０を通じて顧客企業特有の識別記号が入力し、ログインがされると、ウェブ情報送出手段２５は、データ蓄積手段２３の中から該当する顧客企業の機器特有のデータ、機器の検出データ、解析結果データ等を、顧客企業のコンピュータに閲覧させる。
【００３６】
図３にブラウザ画面によって閲覧できるウェブ情報の一例を示す。
顧客企業のコンピュータシステム１０では、ＰＣ１〜ＰＣｎのいずれかのディスプレイ２９に図のような画面が表示される。図の画面の左側には、機器の監視データ３０が表形式で表示される。右側には、該当する企業の所在地や工場の中の設備の配置図面とセンサー機器の取り付け位置３１等が表示される。この地図情報により、警備会社など設備や機器の配置位置を正確に通知できる。従って、異常発生に対する処置を速やかに行い、設備の点検、作動停止、修理など迅速に対応できる。
【００３７】
図３は、画面の右側に地図情報を示しているが、地図情報の代わりに左側の監視データを解析した解析データを表示したり、数値データの代わりに、視覚的に見やすく加工したグラフや観測波形、監視し蓄積されている過去から現在に到る時系列データを表示することも可能である。
【００３８】
閲覧できる機器のデータとしては、何のデータであるかを示す場所、機器名称などのデータも閲覧できることは勿論のこと、解析プログラムによる演算前のデータ、演算後のデータも閲覧することができる。なお、この監視データや地図情報は、顧客側のみならず、監視サービスセンタ側の監視サービスを提供する側で閲覧できることは言うまでもない。
【００３９】
監視サービスセンタ２１において、異常検出手段２６は、データ解析手段２４による機器のデータ解析結果から、設備の異常を知らせる内容を検出する。異常通報手段２７は、顧客企業の設備管理者や担当者に携帯電話２８a、２８b、２８cを利用して、機器の異常を通報する。データ蓄積手段２３には、顧客企業の設備管理者や担当者の電子メールアドレスや、携帯電話２８a、２８b、２８cの電話番号とメールアドレスが、通報先として登録されている。また、データ蓄積手段２３には、異常検出時にその異常内容に対応させた文章、音声などのメッセージが登録されている。異常検出手段２６が異常を検出したときは、異常通報手段２７が、該当する異常情報を機器名称、設置位置、機器の検出データなどの機器特有の情報と共に、登録されている通報先へ送信する。
【００４０】
例えば、図４に示すように、顧客企業の担当者の携帯電話機３２には、「緊急通報！○○会社△△設備スクラバーの差圧異常  至急対応をお願いします。受信されましたら×××へ連絡をお願いします。」といったメッセージが表示される。この携帯電話機３２に、図３の画面の右側に表示された地図情報を拡大して、スクロール可能に表示することも可能である。表示情報の例としては、図７の６行目に示されるデータが該当する。これは、例えば、機器Ｎｏ（Ｄ−１）、監視時刻（２００５．１０．１  １０：０２）、測定結果（差圧×××）、演算前（−）、演算後（−）、異常検知（異常）、異常通報（２００５．１０．１  １０：０５）、担当者応答時刻（○○○○  １０：１５）となる。
【００４１】
この異常通報は、外部業務委託先の監視サービスセンタの担当者や、顧客側の工場を警備する警備会社の担当者、或いは、顧客企業の設備管理者や担当者に通報される。例えば、警備会社の担当者は、地図情報により、顧客企業の所在地、機器の設置場所、機種名、監視データなどを、即座に知ることができるので、機器の異常発生に対して迅速に行動することが可能である。
【００４２】
監視サービスセンタ２１のデータ監視、データ解析システムは、専業の会社が責任を持って管理する。各顧客企業の各設備、各機器に関する監視データ及び解析データは、コンピュータシステムに熟知した専門の技術者によって処理される。データ蓄積手段２３に蓄積されるデータは、定期的にバックアップが取られ、遠隔地の何箇所かに分散して保管したり、コンピュータシステムを並列的に動作させて記憶、蓄積することが出来る。従って、データ保全、災害対策、セキュリィテイも高く、集中投資による経済効果により、個々の企業が管理をするよりも、廉価にデータ解析や設備の異常監視を行える。
【００４３】
メーカも異なり、規格や使用条件も異なる多種多様な機器から収集した大量なデータであっても、それぞれの機器のデータは、機器特有の情報と対応づけられて蓄積、解析、表示、通報されるので、個々の企業が個別に監視、解析するより、コストを大幅に低減できる。
【実施例２】
【００４４】
図２に示した監視サービスセンタ２１の自動データ収集手段２２は、定期的にデータ収集のためのコマンド信号を発生させることができた。このコマンド信号に基づいてデータ収集手段１８がデータを収集した。しかしながら、コマンド信号無しに、データの収集をすることもできる。例えば、各機器１７ａ、１７ｂ、１７ｎが、自ら異常を検出できる構成にする。異常を検出した場合には、データ収集手段１８に通知する。データ収集手段１８は、異常検知情報をデータ送出手段１９に伝える。異常検知情報はウェブデータとして、データ送出手段１９に蓄積される。監視サービスセンタ２１の自動データ収集手段２２は、定期的にその蓄積データを閲覧すればよい。
【００４５】
また、あるいは、データ送出手段１９が自動データ収集手段２２に対して、割り込みにより異常検知情報を送信するようにしてもよい。このときは、監視サービスセンタ２１内のデータ蓄積手段２３へ異常検知通報が記憶され、既に説明した要領で、異常検出手段２６と異常通報手段２７とが動作する。
【実施例３】
【００４６】
図１に示した実施例１では、各設備に取り付けられたセンサーなどの機器の状態信号が、無線や無線ＬＡＮを用いて収集された。しかしながら、機器の全てを有線で接続したり、一部分だけ無線にしても構わない。また、アナログ信号を出力する機器の出力信号は、デバイスサーバ７に収集されるまでにディジタル信号に変換されていればよく、どの場所でディジタル変換されても構わない。デバイスサーバ７には、収集されたデータがウェブデータ形式で記憶されたが、ネットワークを通じて読み取ることができる任意の形式で記憶されて構わない。
【実施例４】
【００４７】
図２に示した実施例１では、予め監視サービスセンタ２１に、データ収集やデータ解析のための条件を設定しておき、その条件で自動的に動作するようにした。しかし、データ収集やデータ解析のための条件をリモートで設定することもできる。例えば、顧客側のコンピュータシステム１６（図１）から、データ解析手段２４にコマンド信号を送る。このコマンド信号により、設定を変更する。従って、機器の種別や仕様を変更した場合でも、迅速にシステムの条件変更を行える。また、データ収集のための条件設定の変更、データ解析ソフトの変更も容易に行うことができる。
【図面の簡単な説明】
【００４８】
【図１】本発明の設備監視システムの実施例を示すシステム概念図である。
【図２】図１のシステムにおけるコンピュータの機能実現手段を示す機能ブロック図である。
【図３】本発明のブラウザ画面によって閲覧できるウェブ情報説明図である。
【図４】本発明の異常通報先の携帯電話機へ表示される画面情報説明図である。
【図５】従来の設備監視システムのブロック図である。
【図６】顧客・設備・機器情報のフォーマット例説明図である。
【図７】機器監視データの例説明図である。
【符号の説明】
【００４９】
１６  顧客企業コンピュータシステム  
１７ａ、１７ｂ、・・・１７ｎ  機器
１８  データ収集手段
１９  データ送出手段
２０  通信回線網
２１  監視サービスセンタ
２２  自動データ収集手段
２３  データ蓄積手段
２４  データ解析手段
２５  ウェブ情報送出手段
２６  異常検出手段
２７  異常検通報手段
２８  顧客担当者携帯電話機
【図１】
2007116586.tif 000003
【図２】
2007116586.tif 000004
【図３】
2007116586.tif 000005
【図４】
2007116586.tif 000006
【図５】
2007116586.tif 000007
【図６】
2007116586.tif 000008
【図７】
2007116586.tif 000009